【手続補正書】
【提出日】平成28年5月26日(2016.5.26)
【手続補正１】
【補正対象書類名】特許請求の範囲
【補正対象項目名】全文
【補正方法】変更
【補正の内容】
【特許請求の範囲】
【請求項１】
配信対象のコンテンツには１以上任意個数のコンテンツファイルが含まれ、
端末識別情報が登録されている登録済のユーザ端末のみが、通信ネットワークを介してコンテンツファイルの配信を受け、受信したコンテンツファイルを前記ユーザ端末に接続するダウンロードファイル記憶手段に保存するコンテンツ配信システムであって、
配信可能状態となったコンテンツファイルが格納されているコンテンツ格納データベースと、
前記登録済のユーザ端末の端末識別情報とともに、この端末識別情報と対応づけてコンテンツファイル毎の配信状況を記憶する配信状況管理データベースと、
前記登録済のユーザ端末からのコンテンツファイルの配信要求を受けて、該コンテンツファイルが該ユーザ端末に未配信であれば配信するコンテンツ配信手段と、
前記ダウンロードファイル記憶手段に保存されている全部あるいは一部のコンテンツファイルとその保管要求とを前記登録済のユーザ端末から受信すると、該コンテンツファイルをユーザファイル保管データベースに保管するユーザファイル保管手段と、
保管しているコンテンツファイルの返却要求がユーザ端末からあれば、前記ユーザファイル保管データベースから返却要求されたコンテンツファイルを取り出して返却要求元のユーザ端末に送信し、送信後は該コンテンツファイルを前記ユーザファイル保管データベースから削除するユーザファイル返却手段と
を備え、
コンテンツファイルは、前記ユーザファイル保管データベースに保管されたならば、前記保管要求元のユーザ端末のダウンロードファイル記憶手段からは削除される
ことを特徴とするコンテンツ配信システム。
【請求項２】
前記コンテンツファイルの配信状況には、「未配信」、「配信済」、「預かり中」、「移転済」が含まれ、
前記コンテンツ配信手段は配信したコンテンツファイルを「未配信」から「配信済」に、
前記ユーザファイル保管手段は保管しているコンテンツファイルを「配信済」から「預かり中」に、
前記ユーザファイル返却手段は返却したコンテンツファイルを「預かり中」から「移転済」に、
配信状況を更新することを特徴とする請求項１に記載のコンテンツ配信システム。
【請求項３】
前記ユーザファイル保管手段は前記登録済のユーザ端末からコンテンツファイルとともにユーザ認証用情報を受信し、
前記ユーザファイル返却手段は返却要求元のユーザ端末から受信した情報が前記ユーザ認証用情報と一致することを条件としてコンテンツファイルを送信することを特徴とする請求項１に記載のコンテンツ配信システム。
【請求項４】
前記保管要求元のユーザ端末に未配信のコンテンツファイルがあれば、このコンテンツファイルを将来受信する権利は保管要求元のユーザ端末と返却要求元のユーザ端末のいずれか一方が有することを特徴とする請求項１に記載のコンテンツ配信システム。
【請求項５】
前記ユーザファイル保管手段はコンテンツファイルを保管する対価を算出し、コンテンツに含まれるコンテンツファイルの一括保管か一部保管かの別を対価算出に反映させることを特徴とする請求項１に記載のコンテンツ配信システム。
【請求項６】
配信対象のコンテンツには１以上任意個数のコンテンツファイルが含まれ、
端末識別情報が登録されている登録済のユーザ端末のみが、通信ネットワークを介してコンテンツファイルの配信を受け、受信したコンテンツファイルを前記ユーザ端末に接続するダウンロードファイル記憶手段に保存するコンテンツ配信方法であって、
配信可能状態となったコンテンツファイルが格納されているコンテンツ格納データベースと、
前記登録済のユーザ端末の端末識別情報とともに、この端末識別情報と対応づけてコンテンツファイル毎の配信状況を記憶する配信状況管理データベースと、を有するコンピュータが、
前記登録済のユーザ端末からのコンテンツファイルの配信要求を受けて、該コンテンツファイルが該ユーザ端末に未配信であれば配信するステップと、
前記ダウンロードファイル記憶手段に保存されている全部あるいは一部のコンテンツファイルとその保管要求とを前記登録済のユーザ端末から受信すると、該コンテンツファイルをユーザファイル保管データベースに保管するステップと、
保管しているコンテンツファイルの返却要求がユーザ端末からあれば、前記ユーザファイル保管データベースから返却要求されたコンテンツファイルを取り出して返却要求元のユーザ端末に送信し、送信後は該コンテンツファイルを前記ユーザファイル保管データベースから削除するステップと
を実行し、
コンテンツファイルは、前記ユーザファイル保管データベースに保管されたならば、前記保管要求元のユーザ端末のダウンロードファイル記憶手段からは削除される
ことを特徴とするコンテンツ配信方法。
【請求項７】
配信対象のコンテンツには１以上任意個数のコンテンツファイルが含まれ、
端末識別情報が登録されている登録済のユーザ端末のみが、通信ネットワークを介してコンテンツファイルの配信を受け、受信したコンテンツファイルを前記ユーザ端末に接続するダウンロードファイル記憶手段に保存するコンテンツ配信システムを管理する装置であって、
配信可能状態となったコンテンツファイルが格納されているコンテンツ格納データベースと、
前記登録済のユーザ端末の端末識別情報とともに、この端末識別情報と対応づけてコンテンツファイル毎の配信状況を記憶する配信状況管理データベースと、
前記登録済のユーザ端末からのコンテンツファイルの配信要求を受けて、該コンテンツファイルが該ユーザ端末に未配信であれば配信するコンテンツ配信手段と、
前記ダウンロードファイル記憶手段に保存されている全部あるいは一部のコンテンツファイルとその保管要求とを前記登録済のユーザ端末から受信すると、該コンテンツファイルをユーザファイル保管データベースに保管するユーザファイル保管手段と、
保管しているコンテンツファイルの返却要求がユーザ端末からあれば、前記ユーザファイル保管データベースから返却要求されたコンテンツファイルを取り出して返却要求元のユーザ端末に送信し、送信後は該コンテンツファイルを前記ユーザファイル保管データベースから削除するユーザファイル返却手段と
を備えることを特徴とするコンテンツ配信装置。
【請求項８】
配信対象のコンテンツには１以上任意個数のコンテンツファイルが含まれ、
端末識別情報が登録されている登録済のユーザ端末のみが、通信ネットワークを介してコンテンツファイルの配信を受け、受信したコンテンツファイルを前記ユーザ端末に接続するダウンロードファイル記憶手段に保存するコンテンツ配信システムを管理するコンピュータであって、
配信可能状態となったコンテンツファイルが格納されているコンテンツ格納データベースと、
前記登録済のユーザ端末の端末識別情報とともに、この端末識別情報と対応づけてコンテンツファイル毎の配信状況を記憶する配信状況管理データベースと、を有するコンピュータに、
前記登録済のユーザ端末からのコンテンツファイルの配信要求を受けて、該コンテンツファイルが該ユーザ端末に未配信であれば配信する機能と、
前記ダウンロードファイル記憶手段に保存されている全部あるいは一部のコンテンツファイルとその保管要求とを前記登録済のユーザ端末から受信すると、該コンテンツファイルをユーザファイル保管データベースに保管する機能と、
保管しているコンテンツファイルの返却要求がユーザ端末からあれば、前記ユーザファイル保管データベースから返却要求されたコンテンツファイルを取り出して返却要求元のユーザ端末に送信し、送信後は該コンテンツファイルを前記ユーザファイル保管データベースから削除する機能と
を実現させることを特徴とするコンピュータプログラム。
【請求項９】
請求項７に記載のコンテンツ配信装置と通信ネットワークを介して接続し、ダウンロードファイル記憶手段を備えるユーザ端末に、
前記コンテンツ配信装置に該ユーザ端末の端末識別情報とともに、未受信のコンテンツファイルの配信要求を送信する機能と、
前記コンテンツ配信装置から受信したコンテンツファイルを前記ダウンロードファイル記憶手段に格納する機能と、
前記ダウンロードファイル記憶手段に格納されたコンテンツファイルを取り出して再生する機能と、
前記ダウンロードファイル記憶手段に保存されている全部あるいは一部のコンテンツファイルとその保管要求とを前記コンテンツ配信装置に送信するとともに、送信したコンテンツファイルを前記ダウンロードファイル記憶手段から削除するコンテンツファイル預入機能と、
該ユーザ端末と同一の或は他のユーザ端末から受信し保管しているコンテンツファイルの返却要求を前記コンテンツ配信装置に送信し、該コンテンツファイルを前記コンテンツ配信装置から受信してダウンロードファイル記憶手段に保存するコンテンツファイル受入機能と、
を実現させることを特徴とするコンピュータプログラム。
【手続補正２】
【補正対象書類名】明細書
【補正対象項目名】発明の名称
【補正方法】変更
【補正の内容】
【発明の名称】コンテンツ配信システム、コンテンツ配信方法、コンテンツ配信装置およびコンピュータプログラム
【手続補正３】
【補正対象書類名】明細書
【補正対象項目名】０００６
【補正方法】変更
【補正の内容】
【０００６】
前記の目的を達するために、請求項１に係る発明は、コンテンツ配信システムであって、
配信対象のコンテンツには１以上任意個数のコンテンツファイルが含まれ、
端末識別情報が登録されている登録済のユーザ端末のみが、通信ネットワークを介してコンテンツファイルの配信を受け、受信したコンテンツファイルを前記ユーザ端末に接続するダウンロードファイル記憶手段に保存するコンテンツ配信システムであって、
配信可能状態となったコンテンツファイルが格納されているコンテンツ格納データベースと、
前記登録済のユーザ端末の端末識別情報とともに、この端末識別情報と対応づけてコンテンツファイル毎の配信状況を記憶する配信状況管理データベースと、
前記登録済のユーザ端末からのコンテンツファイルの配信要求を受けて、該コンテンツファイルが該ユーザ端末に未配信であれば配信するコンテンツ配信手段と、
前記ダウンロードファイル記憶手段に保存されている全部あるいは一部のコンテンツファイルとその保管要求とを前記登録済のユーザ端末から受信すると、該コンテンツファイルをユーザファイル保管データベースに保管するユーザファイル保管手段と、
保管しているコンテンツファイルの返却要求がユーザ端末からあれば、前記ユーザファイル保管データベースから返却要求されたコンテンツファイルを取り出して返却要求元のユーザ端末（保管要求元と同一のユーザ端末或は別のユーザ端末）に送信し、送信後は該コンテンツファイルを前記ユーザファイル保管データベースから削除するユーザファイル返却手段と
を備え、
コンテンツファイルは、前記ユーザファイル保管データベースに保管されたならば、前記保管要求元のユーザ端末のダウンロードファイル記憶手段からは削除される
ことを特徴とする。
【手続補正４】
【補正対象書類名】明細書
【補正対象項目名】０００７
【補正方法】変更
【補正の内容】
【０００７】
「コンテンツ」とは、音楽、写真、映像、小説、ゲームなどインターネットで配信可能なデジタルデータであれば何でもよい。広く一般の視聴を想定しているコンテンツに限らず、限定された関係者にとって関心のあるイベントなどを記録したコンテンツでもよい。
【手続補正５】
【補正対象書類名】明細書
【補正対象項目名】０００８
【補正方法】変更
【補正の内容】
【０００８】
これにより、システムに登録された端末識別情報を有するユーザ端末からのダウンロード要求のみが受け付けられる。また、ユーザ端末が機種変更されても、コンテンツファイルの保管および返却機能があるので、機種変更後のユーザ端末で引き続きダウンロード済みのコンテンツファイルの視聴が可能となる。
さらに、配信対象のコンテンツには複数のコンテンツファイルが含まれ、配信可能となり次第コンテンツ格納データベースに保存される。例えば、同一のアーティストが３日間連続してライブを実施した場合、あるユーザがシステムに自分のユーザ端末の端末識別情報を登録したのは２日目であったとする。この場合、すでにサーバにアップロードされている１日目を視聴でき、２日目はライブ終了後まもなく視聴でき、３日目については３日目終了後にサーバにアップロードされると視聴できる。

【手続補正６】
【補正対象書類名】明細書
【補正対象項目名】０００９
【補正方法】変更
【補正の内容】
【０００９】
請求項２に係る発明は、請求項１に記載のコンテンツ配信システムであって、
前記コンテンツファイルの配信状況には、「未配信」、「配信済」、「預かり中」、「移転済」が含まれ、
前記コンテンツ配信手段は配信したコンテンツファイルを「未配信」から「配信済」に、
前記ユーザファイル保管手段は保管しているコンテンツファイルを「配信済」から「預かり中」に、
前記ユーザファイル返却手段は返却したコンテンツファイルを「預かり中」から「移転済」に、
配信状況を更新することを特徴とする。
【手続補正７】
【補正対象書類名】明細書
【補正対象項目名】００１０
【補正方法】変更
【補正の内容】
【００１０】
請求項３に係る発明は、請求項１に記載のコンテンツ配信システムであって、前記ユーザファイル保管手段は登録済のユーザ端末からコンテンツファイルとともにユーザ認証用情報を受信し、
前記ユーザファイル返却手段は返却要求元のユーザ端末から受信した情報が前記ユーザ認証用情報と一致することを条件としてコンテンツファイルを送信することを特徴とする。
【手続補正８】
【補正対象書類名】明細書
【補正対象項目名】００１１
【補正方法】変更
【補正の内容】
【００１１】
「ユーザ認証用情報」とは、ユーザＩＤやパスワードがある。さらに、不正防止のために、当該ユーザだけが知り得る問いと答えの組み合わせ（以下、「秘密の質問」）を含めてもよい。
ユーザ認証を必要とするのは、このシステムによるファイルを一時的に預かる機能はユーザサービスの一環であって、本人の保管ファイルを他人に渡すようであってはならないからである。
【手続補正９】
【補正対象書類名】明細書
【補正対象項目名】００１２
【補正方法】変更
【補正の内容】
【００１２】
請求項４に係る発明は、請求項１に記載のコンテンツ配信システムであって、
前記保管要求をしたユーザ端末に未配信のコンテンツファイルがあれば、このコンテンツファイルを将来受信する権利は保管要求元のユーザ端末と返却要求元のユーザ端末のいずれか一方が有することを特徴とする。
これにより、機種変更時にはシステムにアップロードされていないコンテンツファイルがあっても、これを機種変更後にダウンロードすることが可能である。
【手続補正１０】
【補正対象書類名】明細書
【補正対象項目名】００１３
【補正方法】変更
【補正の内容】
【００１３】
請求項５に係る発明は、請求項１に記載のコンテンツ配信システムであって、
前記ユーザファイル保管手段はコンテンツファイルを保管する対価を算出し、コンテンツに含まれるコンテンツファイルの一括保管か一部保管かの別を対価算出に反映させることを特徴とする。
これにより、システム側はユーザ端末から保管の対価として妥当と考えられる金額を得ることができる。
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】変更
【補正の内容】
【００１５】
請求項６のコンテンツ配信方法に関する発明、請求項７のコンテンツ配信装置に関する発明、請求項８のコンテンツ配信装置用のコンピュータプログラムに関する発明、請求項９のユーザ端末用のコンピュータプログラムに関する発明はいずれも本発明の目的を達成するものである。
【手続補正１３】
【補正対象書類名】明細書
【補正対象項目名】００１６
【補正方法】変更
【補正の内容】
【００１６】
サーバからコンテンツをダウンロードするので、ＤＶＤの制作の手間などが不要であり、販売コストを低く抑えることができる。
また、自分の携帯端末にダウンロードして保存したファイルは、機種変更後の携帯端末においても視聴できる。

【手続補正１４】
【補正対象書類名】明細書
【補正対象項目名】００１９
【補正方法】変更
【補正の内容】
【００１９】
（１−１）第１の実施形態のシステムの構成
図１を参照しながら、本実施形態のシステム（以下、「本システム」）の構成を説明する。
本システムのユーザは、コンテンツ配信用の媒体（以下、「配信媒体」）を入手し、この配信媒体に印刷されたデータコードからＵＲＬ情報と配信媒体ＩＤを抽出する。
ユーザ端末１が、抽出したＵＲＬ情報に基づきインターネットＮを介して、本システムのサーバ２と接続する。本システムはライブ終了直後にライブ音源を即売することを想定しているので、ライブ録音などを行うコンテンツ制作システム１００と連携動作する。
ユーザ端末１は、移動体通信網（図示せず）、無線ＬＡＮ（図示せず）及びインターネットＮを介してサーバ２と接続する。
図１では、ユーザ端末１は、２台しか記載されていないが、台数に制限はない。
【手続補正１５】
【補正対象書類名】明細書
【補正対象項目名】００２０
【補正方法】変更
【補正の内容】
【００２０】
ここで、ユーザ端末１によって読み取られるデータコード（本システムでは、データコードとしてＱＲコード（登録商標）を用いるので、以下「ＱＲコード」という）５について説明する。図２に示すように、このＱＲコード５は配信媒体４に印刷あるいは貼付されている。ＱＲコード５を撮像することにより、ユーザ端末１から所定のウェブサイトへのアクセスが可能となる。ＱＲコード５に含まれる情報には、ユーザが本システムにアクセスするためのウェブサイトのＵＲＬ（５ａ）と、この配信媒体４に固有の配信媒体ＩＤ（５ｂ）とがある。
なお、「配信媒体」の一例として、この実施形態ではカード状の形態をしているが、これに限らず映画や展覧会のパンフレット、絵本の表紙など、データコードの印刷が可能なものであれば何でもよい。印刷可能であればマグカップのような立体的な物品を配信媒体とすることもできる。データコードを物品に直接印刷してもよいが、データコードを印刷したシールなどを物品に貼付してもよい。「データコード」として、この実施形態では、ＱＲコードを利用している。しかし、バーコードと呼ばれる１次元コードや、２次元コードと呼ばれる縦と横の両方向に意味のある符合など、カメラ付き携帯で撮像することにより情報が得られる表示であれば、何でもよい。
【手続補正１６】
【補正対象書類名】明細書
【補正対象項目名】００２１
【補正方法】変更
【補正の内容】
【００２１】
ユーザ端末１は、配信媒体４を購入したユーザによって使用される情報処理装置である。ユーザ端末１として、スマートフォンと呼ばれる多機能携帯電話やタブレット端末などが使用されるが、本システムでは、スマートフォンを使用することを前提に説明する。これは本発明の出願時（平成２５年）、スマートフォンが従来の携帯電話を凌駕する勢いで普及し且つＣＰＵの性能や記憶容量などのスペックが著しく向上しているからである。
ユーザ端末１は、図３に示すように、記憶部１１と、制御部１２と、画像取得部１３と、タッチパネル等の操作入力部兼用表示部（以下、単に、「表示部」）１４と、音声再生部１５と、通信部１６と、を備える。
【手続補正１７】
【補正対象書類名】明細書
【補正対象項目名】００２３
【補正方法】変更
【補正の内容】
【００２３】
記憶部１１は、プログラム記憶手段１１１と、コンテンツファイル記憶手段（請求項１などの「ダウンロードファイル記憶手段」に相当）１１２と、識別情報記憶手段１１３と、その他の記憶手段１１４を含む。
【手続補正１８】
【補正対象書類名】明細書
【補正対象項目名】００２４
【補正方法】変更
【補正の内容】
【００２４】
プログラム記憶手段１１１には、ウェブブラウザなどのプログラム、サーバ２からダウンロードした本システムの実行に必要なアプリケーションプログラム（以下、「専用アプリケーション」）が記憶される。この専用アプリケーションは所定のサイトから簡単に入手することができる。この専用アプリケーションは、請求項９の「コンピュータプログラム」に相当する。
コンテンツファイル記憶手段１１２には、サーバ２からダウンロードしたコンテンツファイル（以下、単に「ファイル」ということもある）が保存される。
識別情報記憶手段１１３には、ユーザ端末１本体の識別情報が記憶され、この識別情報とＳＩＭカードＳＣ側の番号とを組み合わせた情報が、請求項１にいう「端末識別情報」に相当する。
その他の記憶手段１１４は、各種データや中間処理結果など上記以外の必要なデータを記憶する。これらのデータの中には配信媒体ＩＤも含まれる。
【手続補正１９】
【補正対象書類名】明細書
【補正対象項目名】００３０
【補正方法】変更
【補正の内容】
【００３０】
配信管理ＤＢ２１１については、後に詳しく説明する。
コンテンツＤＢ２１２は、コンテンツ制作システム１００によって録音・変換されたコンテンツデータを格納する。
プログラム記憶手段２１３は、ＯＳなどの制御プログラム、本システムに固有のプログラム（請求項８の「コンピュータプログラム」に相当）などを記憶する。
【手続補正２０】
【補正対象書類名】明細書
【補正対象項目名】００４３
【補正方法】変更
【補正の内容】
【００４３】
ステップＳ１０４でメニュー項目Ｍ１を選択すると、ダウンロード済なので（ステップＳ１０４でＮｏ）、コンテンツファイル記憶手段１１２からコンテンツＡのファイルを取り出し（ステップＳ１１０）、再生する（ステップＳ１０９）。
このように、保存済のファイルはコンテンツリストで特定されると、コンテンツファイル記憶手段１１２から取り出して再生される。このファイルは、専用アプリケーションによってのみ再生されることが望ましい。そのため、サーバ２のコンテンツＤＢ２１２に格納する際に、ファイルのデータ全体を改変（暗号化を含む）したり、ヘッダに通常のファイルにはない情報を付加したりする（請求項８の「コンピュータプログラム」に、このファイルデータ変更機能を実現させてもよい）ことで、専用アプリケーションが無ければ再生できないようにする（請求項９の「コンピュータプログラム」に、この再生機能を実現させてもよい）。これにより、ＹｏｕＴｕｂｅ（登録商標）などの動画投稿サイトや一般的なアプリケーションソフトでの視聴を防止できる。